(57)【要約】【課題】機器に対する設定を、表示された取扱説明書を参照しながら、表示されているとおりの内容の設定を確実に実施することができる機器設定システムを提供する。【解決手段】機器設定システムは、設定対象機器（ＭＦＰ２）と、表示部１１を備えるＰＣ１と、がネットワーク接続されてなる。ＰＣ１は、ＭＦＰ２の各種設定項目の設定操作方法の説明を含む取扱説明書の情報、及び、個々の各種設定項目についての設定指示情報、を記憶する記憶部１３を有し、取扱説明書を表示部１１に表示する際に、各種設定項目を表示する場合、当該設定項目の設定の指示を受け付ける設定指示受付部を併せて表示し、上記設定指示受付部で設定の指示を受け付けた場合、当該設定項目についての設定指示情報を抽出し、ＭＦＰ２に送信する。ＭＦＰ２は、設定指示情報を受信し、受信した設定指示情報に基づき、当該設定項目の設定を自機に行う。【選択図】図１
2009192710.tif 000002
【特許請求の範囲】
【請求項１】
設定対象機器と、表示部を備える機器設定装置と、が接続されてなる機器設定システムであって、
前記機器設定装置は、
前記設定対象機器の各種設定項目の設定操作方法の説明を含む取扱説明書の情報、及び、個々の各種設定項目についての設定指示情報、を記憶する記憶手段と、
前記取扱説明書を前記表示部に表示する際に、各種設定項目を表示する場合、当該設定項目の設定の指示を受け付ける設定指示受付部を併せて表示する表示制御手段と、
前記設定指示受付部で設定の指示を受け付けた場合、当該設定項目についての前記設定指示情報を抽出し、前記設定対象機器に送信する送信手段と、を有し、
前記設定対象機器は、
前記設定指示情報を受信する受信手段と、
前記受信した前記設定指示情報に基づき、当該設定項目の設定を自機に行う設定手段と、を有することを特徴とする機器設定システム。
【請求項２】
前記設定対象機器は、前記受信した前記設定指示情報に基づく前記設定手段での設定を実際に実行する指示を受け付ける実行指示受付部を表示する表示制御手段を有することを特徴とする請求項１に記載の機器設定システム。
【請求項３】
前記機器設定装置は、当該設定項目についての前記設定指示情報と共に認証情報を前記設定対象機器に送信し、
前記設定対象機器は、認証情報用の入力部を備え、前記受信した認証情報が前記入力部から入力されたときに、前記受信した前記設定指示情報に基づく前記設定手段での設定を自機に行うことを特徴とする請求項２に記載の機器設定システム。
【請求項４】
表示部を備え、設定対象機器と接続された機器設定装置であって、
前記設定対象機器の各種設定項目の設定操作方法の説明を含む取扱説明書の情報、及び、個々の各種設定項目についての設定指示情報と、を記憶する記憶手段と、
前記取扱説明書を前記表示部に表示する際に、各種設定項目を表示する場合、当該設定項目の設定の指示を受け付ける設定指示受付部を併せて表示する表示制御手段と、
前記設定指示受付部で設定の指示を受け付けた場合、当該設定項目についての前記設定指示情報を抽出し、前記設定対象機器に送信する送信手段と、を有することを特徴とする機器設定システム。
【請求項５】
自機の各種設定項目の設定操作方法の説明を含む取扱説明書の情報、及び、個々の各種設定項目についての設定指示情報、を記憶する記憶手段と、
前記取扱説明書を表示部に表示する際に、各種設定項目を表示する場合、当該設定項目の設定の指示を受け付ける設定指示受付部を併せて表示する表示制御手段と、
前記設定指示受付部で設定の指示を受け付けた場合、当該設定項目についての前記設定指示情報を抽出し、前記抽出した前記設定指示情報に基づき、当該設定項目の設定を自機に行う設定手段と、を有することを特徴とする表示装置。
【発明の詳細な説明】
【技術分野】
【０００１】
本発明は、複合機（ＭＦＰ：Multi-Function Peripheral）等の情報処理装置を設定対象機器とする機器設定装置、上記設定対象機器と上記機器設定装置とが接続されてなる機器設定システム、及び、表示装置に関するものである。
【背景技術】
【０００２】
製品としての情報処理装置には取扱説明書が紙の形態で同梱されている場合があり、この場合に、製品を購入したユーザは、製品を設置するときや操作方法が分からないときに、取扱説明書を実際に手にし、その内容の確認を行っている。しかし、情報処理装置（機器）に設けられた機能が多くなるほど取扱説明書は分厚くなりかさばってしまう。機器の操作の際に取扱説明書を置くスペースがない場合などでは、ユーザは重い取扱説明書を片手で持ち、ページをめくりながら片手で機器を操作しなければならず、視線の移動も要求されるためユーザに負担がかかっていた。また、機器によっては、分厚い取扱説明書が複数冊存在する場合もあり、その場合、取扱説明書の保管場所の確保は難しくなる。
【０００３】
取扱説明書が電子ファイルの形態でＣＤとして製品と同梱されている場合は、取扱説明書の保管場所の確保は用意である。また、この場合、ユーザは、例えば、パーソナルコンピュータ（ＰＣ：Personal Computer）に取扱説明書の電子ファイルを読み込ませ、その表示画面に購入した製品の取扱説明書を表示させて、機器の操作方法を確認している。しかし、この方法で実際に機器に対して操作を行う場合、予め表示画面の内容を紙出力させたりする必要があり、ユーザに負担がかかっていた。
【０００４】
特許文献１には、取扱説明書は分厚くなりかさばってしまうことを解決することを課題の１つとし、操作対象機器に接続し、操作内容の説明と共に表示部に表示された操作アイコンを、ユーザが触れることにより、それに続く操作を実行するための操作ガイドを表示するヘルプ表示装置が開示されている。
【特許文献１】特開２００５−１１５４６２号公報
【発明の開示】
【発明が解決しようとする課題】
【０００５】
本発明は、機器の動作を可能にするために必要な、機器の初期設定値や既に設定した設定値の変更等の設定操作を容易に行うことができる機器設定装置、機器設定システム及び表示装置に関するものである。
【０００６】
本発明は、機器に対する設定を、表示された取扱説明書を参照しながら、表示されているとおりの内容の設定を確実に実施することができる機器設定装置、機器設定システム及び表示装置を提供することを目的とする。
【課題を解決するための手段】
【０００７】
上記課題を解決するために、本発明の第１の技術手段は、設定対象機器と、表示部を備える機器設定装置と、が接続されてなる機器設定システムであって、前記機器設定装置が、前記設定対象機器の各種設定項目の設定操作方法の説明を含む取扱説明書の情報、及び、個々の各種設定項目についての設定指示情報、を記憶する記憶手段と、前記取扱説明書を前記表示部に表示する際に、各種設定項目を表示する場合、当該設定項目の設定の指示を受け付ける設定指示受付部を併せて表示する表示制御手段と、前記設定指示受付部で設定の指示を受け付けた場合、当該設定項目についての前記設定指示情報を抽出し、前記設定対象機器に送信する送信手段と、を有し、前記設定対象機器が、前記設定指示情報を受信する受信手段と、前記受信した前記設定指示情報に基づき、当該設定項目の設定を自機に行う設定手段と、を有することを特徴としたものである。
【０００８】
第２の技術手段は、第１の技術手段において、前記設定対象機器が、前記受信した前記設定指示情報に基づく前記設定手段での設定を実際に実行する指示を受け付ける実行指示受付部を表示する表示制御手段を有することを特徴としたものである。
【０００９】
第３の技術手段は、第２の技術手段において、前記機器設定装置が、当該設定項目についての前記設定指示情報と共に認証情報を前記設定対象機器に送信し、前記設定対象機器が、認証情報用の入力部を備え、前記受信した認証情報が前記入力部から入力されたときに、前記受信した前記設定指示情報に基づく前記設定手段での設定を自機に行うことを特徴としたものである。
【００１０】
第４の技術手段は、表示部を備え、設定対象機器と接続された機器設定装置であって、前記設定対象機器の各種設定項目の設定操作方法の説明を含む取扱説明書の情報、及び、個々の各種設定項目についての設定指示情報と、を記憶する記憶手段と、前記取扱説明書を前記表示部に表示する際に、各種設定項目を表示する場合、当該設定項目の設定の指示を受け付ける設定指示受付部を併せて表示する表示制御手段と、前記設定指示受付部で設定の指示を受け付けた場合、当該設定項目についての前記設定指示情報を抽出し、前記設定対象機器に送信する送信手段と、を有することを特徴としたものである。
【００１１】
第５の技術手段は、表示装置であって、自機の各種設定項目の設定操作方法の説明を含む取扱説明書の情報、及び、個々の各種設定項目についての設定指示情報、を記憶する記憶手段と、前記取扱説明書を表示部に表示する際に、各種設定項目を表示する場合、当該設定項目の設定の指示を受け付ける設定指示受付部を併せて表示する表示制御手段と、前記設定指示受付部で設定の指示を受け付けた場合、当該設定項目についての前記設定指示情報を抽出し、前記抽出した前記設定指示情報に基づき、当該設定項目の設定を自機に行う設定手段と、を有することを特徴としたものである。
【発明の効果】
【００１２】
本発明によれば、機器の動作を可能にするために必要な、機器の初期設定値や既に設定した設定値の変更等の設定操作を、表示された取扱説明書を参照しながら、確実に実施することができる。
【発明を実施するための最良の形態】
【００１３】
図１は、本発明の一実施形態に係る機器設定システムの一例の概略構成図である。本発明の機器設定システムは、設定対象機器と、その機器の設定を行う機器設定装置とが接続されてなる。図の例の機器設定システム、上記機器設定装置としてのパーソナルコンピュータ（ＰＣ）１と、上記設定対象機器としてのデジタル複合機（以下、ＭＦＰと省略）２が、ＬＡＮ（Local Area Network）等のネットワークＮにより接続されて成る。
【００１４】
ＰＣ１は、ＣＰＵ１０、表示部１１、操作入力部１２、記憶部１３、通信Ｉ／Ｆ１４を備える。
ＣＰＵ１０は、各種演算処理を実行するものであり、ＰＣ１全体の機能を制御する。表示部１１は、各種情報をユーザに提示するための出力装置であり、例えば、液晶ディスプレイ等によって構成される。操作入力部１２は、ユーザからの操作を受け付けるためのもので、キーボードや各種ポインティングデバイス（例えば、マウス）等の入力装置によって構成され、ユーザからの操作をＣＰＵ１０に送信する。記憶部１３は、各種情報を記憶するものであり、上記演算処理に伴う一時的な情報を記憶するＲＡＭや、その他の情報（例えば、プログラム）を記憶するハードディスク等からなる。通信Ｉ／Ｆ１４は、ＰＣ１が外部と情報を送受信するためのもので、通信ネットワークＮに接続可能であり、通信ネットワークＮを介したＰＣ１‐ＭＦＰ２間の情報交換を可能にする。
【００１５】
ＭＦＰ２は、マイコン２０、表示パネル２１、操作パネル２２、記憶部２３、画像読取部２４、画像形成部２５、通信Ｉ／Ｆ２６を備える。ＭＦＰ２は、例えば、複写機及びネットワークスキャナ装置の機能を備えた複合機として構成されたものであり、演算を行うＣＰＵ及び演算に伴う一時的な情報を記憶するＲＡＭ等からなるマイコン２０を備えている。
【００１６】
マイコン２０には、表示パネル２１と操作パネル２２が接続される。表示パネル２１は、各種情報をユーザに提示するためのものであり、例えば、液晶パネルからなる。また、操作パネル２２は、ユーザからの操作を受け付けるためのものであり、複数の操作入力ボタンが配置されてなる。これら表示パネル２１は、ＭＦＰ２における操作部を構成する。図２は、ＭＦＰ２における操作部の一例の平面図である。図２の操作部の操作パネル２２は、テンキー２２ａやスタートキー等を有している。また、操作パネル２２は、表示パネル２１に重ねて設けられた透明なタッチパネル（図示せず）を含む。ユーザは、このタッチパネルに対する操作によって、表示パネル２１に表示されているキー等を選択操作することができる。操作パネル２２は、ユーザからの操作をマイコン２０に送信する。
【００１７】
また、マイコン２０には、ＭＦＰ２を制御するための制御プログラムを記憶している記憶部２３が接続される。ＭＦＰ２は、ユーザより設定された設定や初期設定で動作しており、この記憶部２３が、ＭＦＰ２の各設定項目の現在の設定を記憶している。なお、記憶部２３は、ユーザ毎に各設定項目の現在の設定を記憶することができる。
【００１８】
また、マイコン２０には、記録用紙に記録された原稿画像を読み取って画像データを生成する画像読取部２４が接続される。また、マイコン２０には、記録用紙上に画像データを形成する画像形成部２５が接続される。そして、ＭＦＰ２は、画像読取部２４が生成した画像データに基づいて、画像形成部２５で記録用紙上に画像を形成することができる。このようにして、ＭＦＰ２は複写機として機能する。
【００１９】
また、マイコン２０には、ＭＦＰ２が外部と情報を送受信するための通信Ｉ／Ｆ２６が接続されている。通信Ｉ／Ｆ２６は、社内ＬＡＮ等の通信ネットワークＮに接続可能であり、通信ネットワークＮを介してＰＣ１との間で情報を交換する。
ＭＦＰ２は、ＰＣ１で設定された処理条件に基づいて画像読取部２４が生成した画像データを、通信Ｉ／Ｆ２６からＰＣ１へ送信することができる。このようにして、ＭＦＰ２はネットワークスキャナ装置として機能する。
【００２０】
以上のような構成を有する機器設定システムにおいて、ＭＦＰ２の設定項目の設定を、ＰＣ１を介して行うときの様子を次に説明する。図３は、本発明に係るＭＦＰの設定項目の設定を行う際に表示される画面の一例を示す図である。
【００２１】
本機器設定システムにおいて、端末装置であるＰＣ１からＭＦＰ２の設定項目のリモート設定を行う場合、ＰＣ１のＣＰＵ１０は本発明の「表示制御手段」として機能し、表示部１１に取扱説明書を表示するとともに、その表示が設定項目の表示であった場合、当該設定項目の設定の指示を受け付ける設定指示受付部を併せて表示する。表示部１１に表示される図３の画面１００は、この表示制御により表示されるもので、ＭＦＰ２の機能（設定項目：「白黒反転機能」）のガイド情報を表示すると共に、設定指示受付部としての「ＹＥＳ」ボタンＢＴ１を含む設定指示受付関連画像Ｉを表示している。なお、ＭＦＰ２の機能のガイド情報には、当該機能の説明及び当該機能のＭＦＰ２での設定操作方法の説明が含まれる。
【００２２】
また、ＣＰＵ１０は、画面１００に、設定指示受付関連画像Ｉとして、「ＹＥＳ」ボタンＢＴ１と共に、表示中の設定項目を設定するか否かを問い合わせるメッセージＭ（「この機能を有効に設定しますか？」）と「ＮＯ」ボタンＢＴ２も表示するようにしている。なお、「ＮＯ」ボタンＢＴ２は、例えば、これに対して押下動作がなされるとＣＰＵ１０が設定指示受付関連画像Ｉを非表示にするものである。「ＹＥＳ」ボタンＢＴ１に対して押下動作がなされた場合のＰＣ１の動作については後述する。
【００２３】
ＰＣ１において、画面１００の表示を可能にするために、本発明の「記憶手段」である記憶部１３は、ＭＦＰ２の各種設定項目のＭＦＰ２における設定操作方法の説明を含む取扱説明書の情報（例えば、従来の電子ファイルとして提供されるものと同じもの）と、設定指示受付関連画像表示用情報を記憶している。設定指示受付関連画像表示用情報には、取扱説明書において設定項目が記載されているページ番号（すなわち、設定指示受付関連画像を表示するページ番号）が記載されている。
ＣＰＵ１０は、取扱説明書の情報に基づいて、ＭＦＰ２の各種設定項目のガイド情報を含め、取扱説明書を表示する。ＣＰＵ１０は、この表示の際、現在表示している取扱説明書のページ番号を取得しており、このページ番号と設定指示受付関連画像表示用情報に基づき、各種設定項目のガイド情報と共に、設定指示受付関連画像Ｉ（すなわち、設定指示受付部）を表示できるようになっている。
【００２４】
本機器設定システムを利用するユーザは、画面１００の設定項目のガイド情報を参照して、表示中の設定項目について確認し、当該設定項目のＭＦＰ２への設定を希望する場合、「ＹＥＳ」ボタンＢＴ１を押下する。ＰＣ１のＣＰＵ１０は、操作入力部１２により、この押下動作を検知して、表示中の設定項目の設定指示をユーザから受け付ける。
【００２５】
記憶部１３は、設定項目毎に当該設定項目の設定を指示する設定指示情報を記憶しており、ＣＰＵ１０は、上記設定指示を受け付けた後に、この記憶されているものの中から画面１００に表示中の設定項目の設定指示情報を抽出する。この抽出のために、記憶部１３が、少なくとも設定指示受付関連画像Ｉを表示するページ番号から設定項目が特定できるように上記ページ番号などを記憶しており、したがって、ＣＰＵ１０は、設定指示を受け付けた場合に、現在表示中のページ番号に基づき、記憶部１３を参照して、現在表示中の設定項目を特定し、そして、表示中の設定項目の設定指示情報を抽出することができる。この抽出した設定指示情報を、ＣＰＵ１０は、通信Ｉ／Ｆ１４を介してＭＦＰ２に送信する。このようにして、ＣＰＵ１０は、本発明の「送信手段」として機能する。
【００２６】
なお、複数の設定項目を設定するような場合も考えられるため、ＰＣ１では、設定指示情報の抽出前に、表示中の設定項目を設定希望設定項目として一旦記憶部１３に登録（記憶）しておき、設定希望設定項目が複数ある場合に、設定指示情報の抽出をまとめて行うことが好適である。
【００２７】
以上のように動作するＰＣ１に対してＭＦＰ２は、以下のように動作する。すなわち、ＭＦＰ２では、マイコン２０が、本発明の「受信手段」として機能し、表示されていた設定項目の設定指示情報をＰＣ１から通信Ｉ／Ｆ２６を介して受信する。そして、マイコン２０は、受信した設定指示情報に基づき、ＰＣ１の表示部１１に表示されていたＭＦＰ２の設定項目の設定がなされていない場合に、当該設定項目の設定をＭＦＰ２に行うことができる。
以上のようにして、ＰＣ１の表示画面に表示されている取扱説明書の内容（設定項目）を、ＭＦＰ２にリモート設定することができるので、ユーザの負担を大幅に軽減することができる。
【００２８】
図４は、図１のＰＣ１からＭＦＰ２の設定をリモート設定する場合のＰＣ１及びＭＦＰ２における処理の一例を説明するフローチャートである。
ＰＣ１は、例えば、所定のアプリケーション（リモート設定用のアプリケーション）が起動されたか否かに基づき、ユーザからのリモート設定要求（外部設定要求）があったか否かを判定する（ステップＳ１）。リモート設定要求がない場合（ＮＯの場合）、ステップＳ１に戻るが、リモート設定要求があった場合（ＹＥＳの場合）は、ＭＦＰ２にネットワークＮを介してアクセスし（ステップＳ２）、取扱説明書情報を取得し、記憶部１３に記憶し、ステップＳ３に移行する。なお、設定指示受付関連画像表示用情報を、ＭＦＰ２が記憶しており記憶部１３が予め保持していない場合は、ＰＣ１はステップＳ２で取得する。ステップＳ１及びＳ２の処理は、取扱説明書情報（設定指示受付関連画像表示用情報等）を取得するためのものであるので、予め記憶部１３にこれらを記憶している場合は、省略することができる。
【００２９】
ステップＳ３では、ＰＣ１は、記憶部１３に記憶の取扱説明書情報及び（リモート設定用アプリケーションに含まれる）設定指示受付関連画像表示用情報に基づいて、表示部１１に取扱説明書を表示し、その表示が設定項目の表示であれば、設定指示受付関連画像Ｉも併せて表示する。これにより、ユーザは、ＰＣ１の表示画面上でＭＦＰ２の設定項目についての情報を閲覧でき、当該設定項目の設定を希望する場合に「ＹＥＳ」ボタンＢＴ１を押下することにより設定指示を行うことができる。
【００３０】
ＰＣ１では、「ＹＥＳ」ボタンＢＴ１の押下を検知したか否かに基づき、ユーザが希望しているか否かを判定し、表示部１１に表示中のＭＦＰ２の設定項目（例えば、「白黒反転機能」や「トレイ自動切り替え機能」等）の設定を行うか否かを判定する（ステップＳ４）。
【００３１】
ＰＣ１は、例えば、設定指示受付部表示画面１１０の「ＹＥＳ」ボタンＢＴ１の押下を検出し、表示中の設定項目の設定を行う場合（ステップＳ４、ＹＥＳ）、表示中のページ番号に基づき、記憶部１３を参照し、表示中の設定項目を特定し、設定希望設定項目として登録し（ステップＳ５）、ステップＳ６に移行する。なお、ステップＳ４において、表示中の設定項目の設定を行わない場合（ＮＯの場合）は、ステップＳ６に移行する。
【００３２】
ステップＳ６では、ＰＣ１は、ユーザの操作により他の設定項目の表示が行われたか否かを判定する。他の設定項目の表示が行われている場合（ＹＥＳの場合）は、ステップＳ４に戻り、再度、「ＹＥＳ」ボタンＢＴ１の押下操作を待ち、その結果によって、表示中の設定項目の設定を行っているため、本機器設定システムでは、複数の設定項目を登録することができる。なお、登録されている設定項目をユーザが常に確認できるように、ＰＣは、当該設定項目の名称などを表示部１１に表示するようにしてもよい。
【００３３】
ステップＳ６において、ユーザの操作により他の設定項目の表示が行われていない場合（ＮＯの場合）、ＰＣ１は、所定のタイミングで（例えば、ユーザから設定指示完了の入力があった後に）、記憶部１３に設定希望設定項目が登録されているか否か判定する（ステップＳ７）。登録されていない場合（ＮＯの場合）は、ＰＣ１は、アプリケーションを終了させる等して処理を終了するが、登録されている場合（ＹＥＳの場合）は、登録されている設定項目の設定指示情報を記憶部１３から抽出し、通信Ｉ／Ｆ１４を介してＭＦＰ２に送信する。なお、設定指示情報の抽出の前に、例えば、登録されている設定項目の一覧などを表示部１１に表示し、ユーザに設定内容を確認させるようにしてもよい。表示部１１にＰＣ１における処理は、ステップＳ７で終了する。
【００３４】
そして、ＭＦＰ２では、設定指示情報を受信し、受信した設定指示情報に基づき、登録されていた設定項目（設定希望設定項目）の設定を自機に行うことができる。なお、ＭＦＰ２が受信する設定指示情報は、例えば、実行することにより当該設定項目の設定行うことができる設定プログラムであるが、それに基づきＭＦＰ２で当該設定項目の設定を行うことが可能であればいかなる形態であってもよい。
【００３５】
なお、以上のようにして機器のリモート設定を行う場合、他のユーザがその機器を操作していることがあり、そのときに、上述の構成のみでは、当該他のユーザの操作の妨げになる恐れがあるため、本機器設定システムを以下のように構成することが好ましい。すなわち、図５に示すように、ＭＦＰ２では、マイコン２０が表示制御手段として、操作部の表示パネル２１に、受信した設定指示情報に基づく設定を実行する指示をユーザから受け付ける実行指示受付部としてのアイコン（「ユーザ設定」）Ｉｃを表示する。そして、このアイコンＩｃに対するユーザの操作を、操作パネル２２のタッチパネルを介して受け付けたときに、受信していた設定指示情報に基づき、ユーザが希望する設定項目の設定を自機（ＭＦＰ２）に行う。この構成により、アイコンＩｃに対する操作がなされるまで、ＭＦＰ２の設定は変更されないので、他のユーザの操作を妨げることがなくなる。
【００３６】
また、この場合は、好ましくは、ＰＣ１が設定指示情報と共に認証情報（パスワード）を送信する。そして、ＭＦＰ２が、アイコンＩｃに対する操作を受け付けたときに、図６に示すように、表示パネル２１上のアイコンＩｃを非表示にすると共に、パスワードの入力をユーザにうながすメッセージを含むメッセージボックスＭｂを表示し、受信したパスワードと同じものが操作パネル２２のテンキー２２ａから入力された後に、受信した指示設定情報に基づき、ユーザが希望する設定項目の設定を自機に行うことが好ましい。
【００３７】
なお、以上の例では、ＰＣ１からＭＦＰ２の設定項目のリモート設定を行っていた。しかし、表示部を有する表示装置（ＭＦＰも含む）であれば、その表示装置の構成部分をＰＣ１の構成部分のように利用することにより、表示部に図３の画面１００を介して、取扱説明書を参照しながら、自機の設定を行うことができる。すなわち、本発明は、表示装置としても構成することができる。
【００３８】
ＭＦＰをこの表示装置として構成した場合、ＭＦＰの記憶部が、自機の各種設定項目の設定操作方法の説明を含む取扱説明書の情報、及び、個々の各種設定項目についての設定指示情報、を記憶する記憶手段として機能する。また、ＭＦＰのマイコンが、取扱説明書を表示部に表示する際に、各種設定項目を表示する場合、表示している設定項目の設定の指示を受け付けるアイコンを併せて表示する表示制御手段として機能する。また、ＭＦＰのマイコンが、アイコンで設定の指示を受け付けた場合、表示している設定項目についての設定指示情報を抽出し、抽出した前記設定指示情報に基づき、表示している設定項目の設定を自機に行う設定手段として機能する。
【図面の簡単な説明】
【００３９】
【図１】本発明の一実施形態に係る機器設定システムの一例の概略構成図である。
【図２】本発明に係るＭＦＰにおける操作部の一例の平面図である。
【図３】本発明に係るＭＦＰの設定項目の設定を行う際に表示される画面の一例を示す図である。
【図４】図１のＰＣ１からＭＦＰ２の設定をリモート設定する場合のＰＣ１及びＭＦＰ２における処理の一例を説明するフローチャートである。
【図５】本発明に係る機器設定の際のＭＦＰにおける操作部の様子を示す図である。
【図６】本発明に係る機器設定の際のＭＦＰにおける操作部の様子を示す図である。
【符号の説明】
【００４０】
１…ＰＣ、２…ＭＦＰ、１０…ＣＰＵ、１１…表示部、１２…操作入力部、１３…記憶部、１４…通信Ｉ／Ｆ、２０…マイコン、２１…表示パネル、２２…操作パネル、２２ａ…テンキー、２３…記憶部、２４…画像読取部、２５…画像形成部、２６…通信Ｉ／Ｆ。
【図１】
2009192710.tif 000003
【図２】
2009192710.tif 000004
【図３】
2009192710.tif 000005
【図４】
2009192710.tif 000006
【図５】
2009192710.tif 000007
【図６】
2009192710.tif 000008